(57)【要約】【課題】着席状態において幼児を適切な姿勢で保持することができるチャイルドシート用のクッションを提供する。【解決手段】チャイルドシート２上に配置される頭部パッド１０、背部パッド３０及び臀部パッド５０を具備するクッション１において、頭部パッド１０には、頭部パッド１０の下縁に沿って突出する頸支持部１２と、頭部パッド１０の左右方向両端に向かって上り勾配を描くように傾斜する一対の側頭支持面１４とを設ける。背部パッド３０には、背部パッド３０の左右方向両端に向かって上り勾配を描くように傾斜する一対の脇支持面３２を設ける。臀部パッド５０には、臀部パッド５０の後端から前方に向かって上り勾配を描くように傾斜する臀支持面５１と、臀部パッド５０の左右方向両端に向かって上り勾配を描くように傾斜する一対の膝支持面５２とを設ける。【選択図】図２
2007125935.tif 000002
【特許請求の範囲】
【請求項１】
チャイルドシート上に配置される頭部パッド、背部パッド及び臀部パッドを具備し、前記頭部パッドには、当該頭部パッドの下縁に沿って突出する頸支持部と、前記頭部パッドの左右方向両端に向かって上り勾配を描くように傾斜する一対の側頭支持面とが設けられ、前記背部パッドには、当該背部パッドの左右方向両端に向かって上り勾配を描くように傾斜する一対の脇支持面が設けられ、前記臀部パッドには、当該臀部パッドの後端から前方に向かって上り勾配を描くように傾斜する臀支持面と、前記臀部パッドの左右方向両端に向かって上り勾配を描くように傾斜する一対の膝支持面とが設けられている、ことを特徴とするチャイルドシート用クッション。
【請求項２】
前記頸支持部の稜線が前記頭部パッドの左右方向中央部を底として、前記側頭支持面に向かって凹曲線を描くように高さ方向に関して湾曲していることを特徴とする請求項１に記載のクッション。
【請求項３】
前記頭部パッドの上縁の少なくとも中央部には突出部が存在せず、それにより前記頸支持部及び前記側頭支持面にて囲まれた窪み部が前記頭部パッドの上縁側に開いていることを特徴とする請求項１又は２に記載のクッション。
【請求項４】
前記背部パッドの前記脇支持面の間には幼児の背中を支持する背支持面が設けられ、該背支持面は当該背部パッドの下端側から上端側に向かって下り勾配を描く傾斜面状に形成されていることを特徴とする請求項１に記載のクッション。
【請求項５】
前記背部パッドの下縁側の端部には前記背支持面に向かって上り勾配を描く傾斜面が形成されていることを特徴とする請求項４に記載のクッション。
【請求項６】
前記臀部パッドの前記臀支持面が前記臀部パッドの左右方向中央部を底とする凹曲線を描くように高さ方向に関して湾曲していることを特徴とする請求項１に記載のクッション。
【請求項７】
前記臀部パッドの前記膝支持面が前記臀支持面よりも当該臀部パッドの前方に延ばされていることを特徴とする請求項１に記載のクッション。
【請求項８】
前記臀部パッドの前記臀支持面の前側には当該臀部パッドの前端に向かって下り勾配を描いて延びる脚支持面が形成されていることを特徴とする請求項１、６又は７に記載のクッション。
【請求項９】
前記頭部パッド、前記背部パッド及び前記臀部パッドのうち、少なくとも２つのパッドが互いに分離可能な別部材として構成されていることを特徴とする請求項１〜８のいずれか一項に記載のクッション。
【請求項１０】
前記頭部パッドが前記背部パッドに対して前記チャイルドシートの上下方向に位置調整可能に設けられていることを特徴とする請求項１〜８のいずれか一項に記載のクッション。
【発明の詳細な説明】
【技術分野】
【０００１】
本発明は、チャイルドシートに使用される姿勢保持用のクッションに関する。
【背景技術】
【０００２】
自動車用のチャイルドシートに使用されるクッションとして、平板状のベースをその全周に亘って突出部あるいは壁部にて取り囲んだクッションが提案されている（特許文献１参照）。
【特許文献１】特開２０００−２９６７３４号公報
【発明の開示】
【発明が解決しようとする課題】
【０００３】
上述した従来のクッションは、シートバックをほぼ水平に倒して平坦なベッド状態を選択したときの幼児の保護効果、あるいは安全性を高めるためのクッションとして提案されている。しかしながら、シートバックを起こして幼児を着席させる場合にも、幼児を適切な姿勢で着席させるべくクッションを使用したい場合がある。特に、首が座る前の幼児、あるいはお座りが十分にできない幼児に対しては、頭部の横ずれ、横倒れ、体幹の横ずれ、あるいは臀部の前ずれを抑えられるクッションが求められる。
【０００４】
そこで、本発明は、着席状態において幼児を適切な姿勢で保持することができるチャイルドシート用のクッションを提供することを目的とする。
【課題を解決するための手段】
【０００５】
本発明のチャイルドシート用クッション（１、２０１）は、チャイルドシート（２）上に配置される頭部パッド（１０、２１０）、背部パッド（３０、２３０）及び臀部パッド（５０、２５０）を具備し、前記頭部パッドには、当該頭部パッドの下縁に沿って突出する頸支持部（１２、２１２）と、前記頭部パッドの左右方向両端に向かって上り勾配を描くように傾斜する一対の側頭支持面（１４、２１４）とが設けられ、前記背部パッドには、当該背部パッドの左右方向両端に向かって上り勾配を描くように傾斜する一対の脇支持面（３２、２３２）が設けられ、前記臀部パッドには、当該臀部パッドの後端から前方に向かって上り勾配を描くように傾斜する臀支持面（５１、２５１）と、前記臀部パッドの左右方向両端に向かって上り勾配を描くように傾斜する一対の膝支持面（５２、２５２）とが設けられることにより、上述した課題を解決する。
【０００６】
本発明のクッションによれば、まず頭部パッドの頸支持部にて幼児の後頸を支持することにより、幼児の頭部をその顎が幾らか持ち上げられた姿勢に保持することができる。これにより、幼児の気道の圧迫を防止して幼児に呼吸を楽に行わせることができる。側頭支持面が幼児の頭部を側方から支持することにより、幼児の頭部の横倒れ、横ずれを抑えて頭部を正面に向けることができる。次に、背部パッドの脇支持面で幼児の胴部を側方から支持することにより、幼児の体幹の横ずれを防止することができる。さらに、臀部パッドの臀支持面が臀部パッドの後端から前端に向かって上り勾配を描くように傾斜しているので、その臀支持面を幼児の臀部にあてがうことにより、チャイルドシートの前方への臀部のずれを抑えることができる。このため、臀部の前ずれによる腹部の屈曲、あるいは圧迫を防止することができる。さらにまた、臀部パッドの膝支持面が幼児の膝を側方から支持することにより、幼児の膝を適度に内側に曲げて下肢を適切な向きに保持することができる。これにより、幼児の下半身の屈筋と伸筋とのバランスが適度に保たれ、身体の変形、あるいは萎縮が防止される。これらの作用により、着席状態において幼児を適切な姿勢で保持することができる。
【０００７】
本発明の一形態においては、前記頸支持部の稜線（１２ａ、２１２ａ）が前記頭部パッドの左右方向中央部を底として前記側頭支持面に向かって凹曲線を描くように高さ方向に関して湾曲してもよい。このような湾曲を頸支持部に与えることにより、幼児の後頸を頭部パッドの左右方向中央へと自然に位置決めして頭部の横ずれを防ぐことができる。
【０００８】
本発明の一形態において、前記頭部パッドの上縁の少なくとも中央部には突出部が存在せず、それにより前記頸支持部及び前記側頭支持面にて囲まれた窪み部（１５、２１５）が前記頭部パッドの上縁側に開いていてもよい。この形態によれば、幼児の頭頂部を拘束するような突出部が存在しないので、幼児の開放感が高まる。
【０００９】
本発明の一形態において、前記背部パッドの前記脇支持面の間には幼児の背中を支持する背支持面（３１、２３１）が設けられ、該背支持面は当該背部パッドの下端側から上端側に向かって下り勾配を描く傾斜面状に形成されてもよい。この形態によれば、背支持面の特に下部を幼児の腰に十分に接触させて背部パッドによる姿勢保持効果を高めることができる。
【００１０】
さらに、前記背部パッドの下縁側の端部には前記背支持面に向かって上り勾配を描く傾斜面（３３）が形成されてもよい。この形態によれば、臀部パッドの後端と背部パッドの下端との干渉を抑え、臀部パッドと背部パッドとをチャイルドシートのシート部とバック部との間の湾曲又は屈曲に適合させつつ連続的に並べることができる。
【００１１】
本発明の一形態においては、前記臀部パッド（５０）の前記臀支持面（５１）が前記臀部パッドの左右方向中央部を底とする凹曲線を描くように高さ方向に関して湾曲してもよい。この形態によれば、幼児の臀部を包み込むように臀支持面を臀部に接触させて臀支持面による姿勢保持効果を高めることができる。
【００１２】
本発明の一形態においては、前記臀部パッド（５０）の前記膝支持面（５２）が前記臀支持面よりも当該臀部パッドの前方に延ばされてもよい。この形態によれば、臀支持面にて臀部を支持しつつ、その臀部の前方に位置する膝を膝支持面で確実に受けることができる。
【００１３】
さらに、前記臀部パッド（５０、２５０）の前記臀支持面の前側には当該臀部パッドの前端に向かって下り勾配を描いて延びる脚支持面（５３、２５３）が形成されてもよい。この形態によれば、膝支持面によって内側に曲げられた下肢を脚支持面によって自然な姿勢で支持することができる。
【００１４】
本発明の一形態においては、前記頭部パッド、前記背部パッド及び前記臀部パッドのうち、少なくとも２つのパッドが互いに分離可能な別部材として構成されてもよい。この形態によれば、一部のパッドを他のパッドから分離してチャイルドシートから取り外すことができる。これにより、幼児の成長に応じてクッションの使用形態を変化させることができる。
【００１５】
本発明の一形態においては、前記頭部パッドが前記背部パッドに対して前記チャイルドシートの上下方向に位置調整可能に設けられてもよい。この形態によれば、頭部パッドの位置を幼児の頭部の位置に合わせて変化させて頭部を最適な位置で支持することができる。
【００１６】
なお、以上の説明では本発明の理解を容易にするために添付図面の参照符号を括弧書きにて付記したが、それにより本発明が図示の形態に限定されるものではない。
【発明の効果】
【００１７】
以上に説明したように、本発明によれば、頭部パッドにより幼児の頭部をその顎が幾らか持ち上げられた姿勢に保持してその気道の圧迫を防ぐとともに、幼児の頭部の横倒れ、横ずれを抑えてその頭部を正面に向けることができ、背部パッドにより、幼児の体幹の横ずれ防止効果を高めることができ、臀部パッドにより、幼児の臀部の前ずれによる腹部の屈曲、あるいは圧迫を防止しつつ、幼児の下肢を適切な向きに保持して幼児の下半身の屈筋と伸筋とのバランスを適度に保ち、身体の変形、あるいは萎縮を防止することができる。加えて、臀部パッドの膝支持面にて幼児の膝を側方から支持することにより、幼児の膝を適度に内側に曲げて下肢を適切な向きに保持することができる。これらの作用により、着席状態において幼児を適切な姿勢で保持することができる。
【発明を実施するための最良の形態】
【００１８】
［第１の形態］
以下、本発明の第１の形態に係るチャイルドシート用クッションを説明する。図１は本発明の第１の形態に係るクッション１をチャイルドシート２に取り付けた状態を示す。チャイルドシート２は、車両の座席上に装着されるベース３と、そのベース３上に略水平方向に旋回可能に取り付けられるシート本体４とを有している。シート本体４には幼児の臀部及び背部をそれぞれ支持するシート部５及びバック部６が一体に形成されるとともに、幼児をシート本体４に拘束するための股ベルト７、一対の腰ベルト８及び一対の肩ベルト９が設けられている。なお、チャイルドシート２の構成は図示のものに限らず、適宜に変更してよい。
【００１９】
クッション１は、頭部パッド１０、背部パッド３０及び臀部パッド５０を有している。これらのパッド１０、３０、５０は互いに分離可能な別部品として構成されている。頭部パッド１０は幼児の頭部を支持するために設けられ、背部パッド３０は幼児の背部を支持するために設けられ、臀部パッド５０は幼児の臀部を支持するために設けられる。頭部パッド１０及び背部パッド３０はバック部６に配置され、臀部パッド５０はシート部５に配置される。各パッド１０、３０、５０はチャイルドシート２に対してそれぞれ独立して着脱可能である。なお、以下では、パッド１０、３０、５０の幼児を受ける側を表側、チャイルドシート２と接する側を裏側と呼ぶ。それぞれのパッド１０、３０、５０の裏側の形状はチャイルドシート２のクッション１が置かれる表面の形状にフィットするように設定されている。頭部パッド１０及び背部パッド３０についてはバック部６の上下方向に倣って上下を区別し、臀部パッド５０はシート部５の前後方向に倣って前後を区別するものとする。パッド１０、３０、５０の左右方向はチャイルドシート２の左右方向に倣ってこれを表現する。
【００２０】
図２はクッション１の斜視図、図３はクッション１の平面図、図４は図３のIV−IV線に沿ったクッション１の縦断断面図である。なお、図３及び図４はクッション１のパッド１０、３０、５０を平面上に並べた状態を示しており、図４の上下方向が各パッドの高さ方向に相当する。以下、各パッドの詳細を順に説明する。
【００２１】
図２〜図４、さらには図５〜図９にも示したように、頭部パッド１０は、表側から見て丸みを帯びた外周形状を有している。頭部パッド１０の表側には、頭部パッド１０の下縁に沿って突出する頸支持部１２が設けられている。頸支持部１２は幼児の後頸を支持するために設けられている。図７及び図８に示したように、頭部パッド１０は、その左右方向の両端部において中央部よりも表側（図７及び図８において上方）に向かって曲げられた一対の湾曲部１３が生じるように曲げられた形状を有している。これにより、頭部パッド１０の表面には、頭部パッド１０の左右方向両端に向かって上り勾配を描くように傾斜する一対の側頭支持面（図５〜図７のハッチング領域）１４が形成されている。図７及び図８に破線で示したように、頸支持部１２の稜線１２ａは頭部パッド１０の左右方向中央部を底として側頭支持面１４に向かって滑らかな凹曲線を描くように高さ方向に湾曲している。頭部パッド１０の上縁には突出部が存在せず、そのため、頭部パッド１０の左右方向の中央部には、下縁が頸支持部１２で囲まれ、両側が側頭支持面１４で囲まれる一方で、上縁側が開かれた窪み部１５が生じている。窪み部１５は幼児の頭部を受け入れる部分として機能する。図９から明らかなように、側頭支持面１４は頭部パッド１０の左右方向の断面上において略一定の勾配で傾斜しているが、頭部パッド１０の上下方向に関して側頭支持面１４の中央部が上下端部よりも外側に湾曲することにより側頭支持面１４はすり鉢状に形成されている。
【００２２】
頸支持部１２の高さ、側頭支持面１４の傾斜角、窪み部１５の大きさといった各部の寸法はチャイルドシート２が対象とする幼児の体格に応じて適宜に定めてよい。但し、頸支持部１２の高さは幼児の後頸を基準としたときの後頭部の突出量に合わせることが望ましく、窪み部１５の広さも後頭部の大きさに合わせることが望ましい。目安として、窪み部１５の底面を基準としたときの頸支持部１２の左右方向中央部における高さＨａ（図４参照）を１５ｍｍ程度に設定し、窪み部１５の底面の法線、言い換えれば頭部パッド１０を左右方向に二等分する中心線ＣＬａの方向に対する側頭支持面１４の傾斜角θａ（図９参照）を４０°〜５０°程度に設定することができる。窪み部１５は、図３に仮想線で示したように、直径１００〜１１０ｍｍ程度の平坦な円形領域Ｃｈが確保されるようにその大きさを設定することができる。
【００２３】
図４に示すように、頭部パッド１０は、表皮材１６の内側に、適度なクッション性を有する弾性材料を内装材１７として設けることによって形成されている。表皮材１６には、メッシュ生地のように通気性を有する素材、あるいは通気性に乏しい布地等の素材に貫通孔を追加工して通気性を確保したもの等を使用することができる。内装材１７としては、綿、ウレタン、低反発ウレタン、ゲル等の弾性材料を用いることができる。内装材１７に通気孔を形成してもよいし、連結気泡を有するウレタン素材等を内装材１７として用いることもできる。内装材１７は頭部パッド１０の全面に亘って設けられてもよいし、頸支持部１２のみに設けられてもよい。窪み部１５において内装材１７を省略し、頸支持部１２及び湾曲部１３のみに内装材１７を設けてもよい。
【００２４】
図２〜図４、さらには図１０〜図１２にも示すように、背部パッド３０は、その左右方向両端部が中央部よりも表側に曲げられた形状を有している。図１１では、その湾曲を破線で示している。このような湾曲が付されることにより、背部パッド３０の左右方向中央部には幼児の背部を支持する背支持面３１が形成され、その背支持面３１の両側には背部パッド３０の両端に向かって上り勾配を描くように傾斜する一対の脇支持面３２が形成されている（図１０のハッチング領域を参照）。図４から明らかなように、背支持面３１は背部パッド３０の下端側から上端側に向かって下り勾配を描くような傾斜面状に形成されている。背支持面３１の上端３１ａは頭部パッド１０の頸支持部１２よりも低い。また、背部パッド３０の下縁側の端部には背支持面３１に向かって上り勾配を描く傾斜面３３が設けられている。傾斜面３３は背部パッド３０をチャイルドシート２上に配置したときの背部パッド３０と臀部パッド５０との干渉を避けるために設けられている。すなわち、チャイルドシート２のシート部５とバック部６との間には湾曲、又は屈曲部分が存在するため、シート部５の後端に臀部パッド５０を配置し、バック部６の下端に背部パッド３０を配置した場合には、臀部パッド５０の後端と背部パッド３０の下端とが干渉してこれらを一続きに連なるように配置することができないおそれがある。傾斜面３３はその干渉を抑えて臀部パッド５０と背部パッド３０とを並べて配置することを可能とするために設けられている。
【００２５】
背部パッド３０の各部の寸法はチャイルドシート２が対象とする幼児の体格に応じて適宜に定めてよい。但し、背部パッド３０の湾曲は幼児の背中から両脇にかけての曲線にフィットするような形状に設定することが望ましい。目安として、図１２に示した背支持面３１の左右方向の幅Ｗｂを１４０〜１６０ｍｍ程度に設定し、背部パッド３０を左右方向に二等分する中心線ＣＬｂの方向に対する脇支持面３２の傾斜角θｂを４５°程度に設定することができる。図４に示すように、背部パッド３０は、表皮材３４の内側に、適度なクッション性を有する弾性材料を内装材３５として設けることによって形成されている。表皮材３４及び内装材３５の素材は頭部パッド１０の表皮材１６及び内装材１７と同様に選択してよい。内装材３５は背部パッド３０の全面に設けられてもよいし、一部に限定して設けられてもよい。
【００２６】
図２〜図４、さらには図１３〜図１６にも示すように、臀部パッド５０は、臀支持面５１と、その臀支持面５１から臀部パッド５０の左右方向両端部に向かって上り勾配を描いて傾斜する一対の膝支持面５２とを備えている。なお、図１３において臀部パッド５０の後端は図の左端に相当し、図１５において臀部パッド５０の後端は図の上端に相当する。図４から明らかなように、臀支持面５１は、臀部パッド５０の後端から前方に向かって上り勾配を描くように傾斜している。また、図１４に破線を付して示したように、臀部パッド５０の前方からみて、臀支持面５１は臀部パッド５０の左右方向中央部を底とし、膝支持面５２に向かって凹曲線を描くように高さ方向に湾曲している。これにより、図１５にハッチングを付して示したように、膝支持面５２の両端には幼児の臀部の両側を支持する傾斜面５１ａが形成されている。それらの傾斜面５１ａは膝支持面５２へと滑らかに連なっている。図３から明らかなように、膝支持面５２は臀支持面５１よりも臀部パッド５０の前方に幾らか長く延ばされている。これにより、臀支持面５１にて臀部を支持しつつ、幼児の膝を膝支持面５２にて確実に受けることができる。
【００２７】
図３及び図４から明らかなように、臀支持面５１の前側には、臀部パッド５０の前端に向かって下り勾配を描いて延びる脚支持面５３が形成されている。その脚支持面５３の途中には、股ベルト７（図１参照）を通すためのベルト通し孔５４が開口している。なお、臀支持面５１と脚支持面５３との境界をなす稜線５５の位置は臀支持面５１に要求される広さに応じて適宜に定めてよい。
【００２８】
臀部パッド５０の各部の寸法はチャイルドシート２が対象とする幼児の体格に応じて適宜に定めてよい。但し、臀支持面５１は幼児の臀部、より詳しくは幼児の臀部に装着されたおむつの表面にフィットする大きさに設定することが望ましく、膝支持面５２は幼児の膝が膝支持面５２を超えて左右方向外側に外れることがないように形成することが望ましい。目安として、臀支持面５１の左右方向の幅Ｗｃ（図１６参照）を１４０ｍｍ程度に、前後方向の奥行きＤｃ（図４参照）を８０ｍｍ程度にそれぞれ設定することができる。また、図１６に示したように、臀部パッド５０を左右方向に二等分する中心線ＣＬｃの方向に対する膝支持面５２の傾斜角θｃは４５°程度に設定することができる。なお、図４に示すように、臀部パッド５０は、表皮材５６の内側に、適度なクッション性を有する弾性材料を内装材５７として設けることによって形成されている。表皮材５６及び内装材５７の素材は頭部パッド１０の表皮材１６及び内装材１７と同様に選択してよい。内装材５７は臀部パッド５０の全面に設けられてもよいし、一部に限定して設けられてもよい。さらに、図３に示したように、臀部パッド５０の後端側の両側縁には、左右方向中心部に向かって後退した絞り部５８が設けられている。絞り部５８は、チャイルドシート２の腰ベルト８を臀部パッド５０の表側に引き回すために設けられている。
【００２９】
以上のように構成されたクッション１においては、図１に示すように、臀部パッド５０がシート部５に載置される一方で、背部パッド３０はその臀部パッド５０の後端に接するようにしてバック部６に配置され、その背部パッド３０の上方に頭部パッド１０がさらに載置される。股ベルト７は臀部パッド５０のベルト通し孔５４に挿通され、腰ベルト８は臀部パッド５０の後端からクッション１の表側に引き出され、肩ベルト９は背部パッド３０と頭部パッド１０との隙間からクッション１の表側に引き出される。このようにしてシート２に取り付けられたクッション１の表側に幼児が収容されてベルト７、８、９で拘束される。
【００３０】
上記のようにして幼児をチャイルドシート２に収容した場合のクッション１の作用を次に説明する。まず、頭部パッド１０においては、幼児の頭部が窪み部１５に受け入れられて支持される。この状態では、図１７に示すように頭部パッド１０の頸支持部１２が幼児１００の後頸にあてがわれて頸部が背後から支持される。これにより、幼児１００の頭部１０１をその顎が幾らか持ち上げられた姿勢に保持し、気道の圧迫を防止して呼吸を楽に行わせることができる。しかも、頸支持部１２が図７及び図８に示したように凹曲線を描いて湾曲しているので、幼児１００の頸部を左右方向中央へと自然に位置決めすることができる。さらに、窪み部１５の両側の側頭支持面１４によって幼児１００の頭部１０１が両側から支持されるため、頭部１０１が自然に正面に向けられて頭部の横倒れ、横ずれも防止される。これらの作用は、特に首が座る前の乳児に対して効果的である。さらに、窪み部１５の上縁側が突出部にで囲まれることなく、頭部パッド１０の上縁側に開かれているので幼児の開放感が高まる。
【００３１】
背部パッド３０においては、幼児の背中が背支持面３１にて支持されるとともに、図１８に示すように脇支持面３２が幼児１００の胴部１０２に外側からあてがわれて胴部１０２が側方から支持される。これにより、幼児１００の体幹の横ずれが防止される。背支持面３１が背部パッド３０の下端側から上端側に向かって下り勾配を描くように傾斜しているので、背支持面３１の特に下部を幼児の腰に対して背後から十分に接触させ、それにより背部パッドによる幼児の姿勢保持効果を高めることができる。
【００３２】
臀部パッド５０においては、図１９に示すように臀支持面５１が幼児１００の臀部１０３にあてがわれて臀部１０３が支持される。臀支持面５１には臀部パッド５０の前方に向かって上り勾配が付されているので、チャイルドシート２の前方への臀部１０３のずれが抑えられる。従って、臀部の前ずれによる腹部の屈曲、あるいは圧迫が生じない。また、臀支持面５１に湾曲が付されてその傾斜面５１ａが臀部の側方に接することにより、臀部１０３を包み込むように臀支持面５１が臀部１０３と接触し、その結果、臀支持面５１による姿勢保持効果が高まる。
【００３３】
さらに、臀部パッド５０においては、膝支持面５２が幼児１００の膝１０４を外側から接するように支持することにより、膝１０４が適度に内側に曲げられる。これにより、膝１０４の外側への開きが抑えられ、下肢１０５が適切な向きに保持される。従って、幼児１００の下半身の屈筋と伸筋のバランスが適度に保たれ、身体の変形や萎縮も防止される。膝支持面５２は臀支持面５１よりも前方に延ばされているので、臀支持面５１にて臀部１０３を支持しつつ、その臀部１０３の前方に位置する膝１０４を膝支持面５２にて確実に受けることができる。さらに、膝支持面５２によって内側に曲げられた下肢１０５を脚支持面５３にて支持することにより、下肢１０５を前方へ自然な姿勢で延びた状態におくことができる。
【００３４】
本形態のクッション１においては、頭部パッド１０、背部パッド３０及び臀部パッド５０のそれぞれが互いに分離可能な別部品として構成されているため、幼児の成長段階に応じてこれらのパッド１０、３０、５０を適宜に選択して使用することができる。一例として、新生児期（体重で２．５ｋｇ〜７ｋｇまで）には全てのパッド１０、３０、５０を使用し、乳児前期（体重で７ｋｇ〜９ｋｇまで）には頭部パッド１０のみを使用し、乳児後期（体重で９ｋｇ以降）には全てのパッドを取り外す、つまりクッション１を使用しない、といった使用形態が選択可能である。なお、新生児前期で全てのパッドを外す使用形態、乳児前期では臀部パッド５０のみを使用する形態、乳新生児期ではいずれか２つのパッドのみを使用する形態等も選択可能である。
【００３５】
次に、頭部パッド１０をバック部６に取り付けるための構成の一例を図２０及び図２１に示す。この例では、頭部パッド１０の裏側に一対の取付ベルト６０を固定し、各ベルト６０の一端をシート本体４のバック部６に設けられた肩ベルト通し孔６ａに挿通し、他端をバック部６の上端からバック部６の裏側に回し、さらに各ベルト６０の両端を連結具６１で連結して各ベルト６０をループ状に結び付けている。なお、連結具６１としては、バックル、面ファスナ、ホック等の各種の連結手段を用いることができる。
【００３６】
図２２及び図２３は頭部パッド１０をバック部６に取り付ける構成の他の例を示す。この例では、頭部パッド１０の裏側に、頭部パッド１０とは別部品として構成されたパッドベース６５を配置し、そのパッドベース６５と頭部パッド１０とを連結具６６で連結している。パッドベース６５はバック部６に対して適宜の手段で取り付けてよい。
【００３７】
なお、頭部パッド１０に代えて、又は加えて、背部パッド３０も上記と同様の構成でバック部６に取り付けてもよい。さらに、頭部パッド１０をバック部６の上下方向に位置調整可能とし、幼児の頭部の高さに合わせて頭部パッド１０の位置を変化させるようにしてもよい。背部パッド３０についても同様である。パッドをチャイルドシートに装着するための構成は上記の例に限らず、適宜の変形が可能である。例えば、ホック、紐、バックル、ボタンといった適宜の手段を用いて各パッドをチャイルドシートのカバー又はチャイルドシートの内装材（クッション材あるいはベース板）に装着することができる。さらに、いずれか一つのパッドをチャイルドシート２に連結し、そのパッドに対して他のパッドを連結することにより各パッドをチャイルドシート２に取り付けるようにしてもよい。２以上のパッドを相互に連結する場合、それらのパッドは分離可能であってもよいし、分離不能であってもよい。パッド１０、３０、５０を連結するための構成について以下に幾つかの例を説明する。
【００３８】
図２４Ａ〜図２４Ｅは、頭部パッド１０と背部パッド３０とを連結するための連結部７０の例を示している。図２４Ａの例では、背部パッド３０の上縁中央に帯状部７１が設けられ、その帯状部７１の表面、及び頭部パッド１０の裏面のそれぞれに面ファスナ７２Ａ、７２Ｂが接合されている。これらの面ファスナ７２Ａ、７２Ｂを利用して頭部パッド１０と背部パッド３０とが連結される。この例では、面ファスナ７２Ａ、７２Ｂの重ね合わせ範囲をチャイルドシート２の上下方向にずらすことにより、背部パッド３０に対する頭部パッド１０の上下方向の位置を変化させることができる。なお、帯状部７１を背部パッド３０に対して上下方向に位置調整可能に取り付けることにより、頭部パッド１０の位置調整範囲を拡大してもよい。頭部パッド１０の面ファスナ７２Ｂはシート２の表皮材と接するため、フック状の突起を有しないメス側、言い換えればループ側の面ファストとすることが望ましい。
【００３９】
図２４Ｂの例では、背部パッド３０の上縁に一対の帯状部７３が設けられ、各帯状部７３の表面にホック７４Ａが、頭部パッド１０の裏面の帯状部７３に対応した位置のそれぞれにホック７４Ａと噛み合い可能な複数のホック７４Ｂが上下方向に適宜間隔を空けて取り付けられている。この例では、背部パッド３０のホック７４Ａを、頭部パッド１０のいずれかの位置のホック７４Ｂと噛み合わせることにより頭部パッド１０と背部パッド３０とが連結される。しかも、ホック７４Ａと噛み合わせるべきホック７４Ｂを変更することにより、背部パッド３０に対する頭部パッド１０の上下方向の位置を変化させることができる。
【００４０】
図２４Ｃの例は、ホック７４Ａ、７４Ｂを噛み合わせて頭部パッド１０と背部パッド３０とを連結する点で図２４Ｂの例と共通する。但し、頭部パッド１０帯状部７３に対応した位置のそれぞれには上下方向に延びるスライドガイド７５が設けられ、各スライドガイド７５に単一のホック７４Ｂが上下方向に位置調整自在に取り付けられている点で図２４Ｂの例と異なる。この例では、頭部パッド１０のホック７４Ｂの上下方向の位置を変更することにより、背部パッド３０に対する頭部パッド１０の上下方向の位置を変化させることができる。
【００４１】
図２４Ｄの例では、頭部パッド１０の下縁に一対のボタン７６が取り付けられ、背部パッド３０の一対の帯状部７３のそれぞれには、ボタン７６を通すための複数のボタンホール７７が上下方向に間隔を空けて設けられている。この例では、ボタン７６をいずれかのボタンホール７７に通すことによって頭部パッド１０と背部パッド３０とを連結することができ、ボタンホール７７の選択を変更することにより背部パッド３０に対する頭部パッド１０の上下方向の位置を変化させることができる。
【００４２】
図２４Ｅは、図２４Ａの変形例であって、頭部パッド１０の裏面側に面ファスナ７２Ｂを覆うカバー７８が追加され、背部パッド３０の帯状部７１はそのカバー７８の下端開口部を介してカバー７８の内側に挿入可能とされている。この例では、面ファスナ７２Ｂが頭部パッド１０の裏面に露出しないので、面ファスナ７２Ｂをフック状の突起が存在するオス側の面ファスナとしても構わない。なお、図２４Ａ〜図２４Ｅの例において、頭部パッド１０及び背部パッド３０のそれぞれに設けられた構成要素を互いに入れ替えてもパッド１０、３０を同様に連結することができる。
【００４３】
図２５Ａ〜図２５Ｃは、背部パッド３０と臀部パッド５０とを連結するための連結部８０の例を示している。図２５Ａは、背部パッド３０の下縁の一対の帯状部８１に設けられたホック８２Ａを臀部パッド５０の裏面に設けられたホック８２Ｂと噛み合わせてパッド３０、５０を連結する例である。図２５Ｂは、背部パッド３０の下縁中央の帯状部８３に設けられた面ファスナ８４Ａを臀部パッド５０の裏面に設けられた面ファスナ８４Ｂに重ね合わせてパッド３０、５０を連結する例である。図２５Ｃは臀部パッド５０の裏面に設けられたボタン８５を、背部パッド３０の帯状部８１のボタンホール８６に通してパッド３０、５０を連結する例である。なお、図２５Ａ〜図２５Ｃの例においても、背部パッド３０及び臀部パッド５０のそれぞれに設けられた構成要素を互いに入れ替えてもよい。図２５Ｂの例においては、面ファスナ８４Ｂをメス側の面ファスナとすることが望ましい。
【００４４】
図２６Ａ及び図２６Ｂは連結部７０、８０のそれぞれを覆うカバー９０、９１を背部パッド３０の裏面側の上下縁から延ばした例を示している。このようなカバー９０、９１を設けた場合には、パッド１０、３０、５０の連結部分に隙間が空かないので、クッション１を分割構造としているにも拘わらず、あたかも一体型のクッションと同様の姿勢保持効果、あるいはクッション効果を得ることができる。
【００４５】
上記の形態では各パッドをそれぞれ別部材として構成して互いに連結しているが、２以上のパッドの内装材を一体成形する等してそれらのパッドを実質的に単一の部品として構成してもよい。
【００４６】
［第２の形態］
次に、図２７〜図３４を参照して本発明の第２の形態に係るチャイルドシート用クッションを説明する。図２７は第２の形態のクッション２０１をチャイルドシート２に取り付けた状態を示す斜視図、図２８はチャイルドシート２に取り付けられたクッション２０１をチャイルドシート２の正面側から見た状態を示す図である。また、図２９はチャイルドシート２に取り付けられた状態における、クッション２０１の長手方向中心線（図２８のXXIX−XXIX線に相当）に沿った要部断面図である。なお、チャイルドシート２は第１の形態のそれと同様である。
【００４７】
クッション２０１は、頭部パッド２１０と、複合型パッド２２０とを有している。頭部パッド２１０と複合型パッド２２０とは互いに分離可能な別部品として構成されている。複合型パッド２２０は、シートクッション２のバック部６からシート部５にかけての湾曲形状に沿った一体型のパッド状部品として構成され、その湾曲部分からバック部６側には背部パッド２３０が、湾曲部分からシート部５側には臀部パッド２５０がそれぞれ設けられている（図２９参照）。
【００４８】
頭部パッド２１０は幼児の頭部を支持する目的でバック部６に設けられ、背部パッド２３０は幼児の背部を支持するために設けられ、臀部パッド２５０は幼児の臀部を支持するために設けられる。それぞれのパッド２１０、２３０、２５０の裏側、つまりチャイルドシート２と接する側の形状は、チャイルドシート２のクッション１が置かれる表面の形状に沿うように設定されている。なお、以下において、頭部パッド２１０及び背部パッド２３０についてはバック部６の上下方向に倣って上下を区別し、臀部パッド２５０はシート部５の前後方向に倣って前後を区別するものとする。パッド２１０、２３０、２５０の左右方向はチャイルドシート２の左右方向に倣ってこれを表現する。
【００４９】
頭部パッド２１０の表側（図２９において上側）には、幼児の後頸を支持するための頸支持部２１２（図２９参照）が頭部パッド２１０の下縁に沿って突出するように設けられている。また、頭部パッド２１０は、その左右方向両端部において、中央部よりも表側に向かって曲げられた一対の湾曲部２１３が生じるように、左右方向に沿って弓なりに湾曲した外観形状を有している。これにより、頭部パッド２１０の表面には、頭部パッド２１０の左右方向両端に向かって上り勾配を描くように傾斜する一対の側頭支持面（図２８のハッチング領域）２１４が形成されている。頸支持部２１２の稜線２１２ａ（図２７参照）は、第１の形態の頸支持部１２と同様に、頭部パッド２１０の左右方向中央部を底として側頭支持面２１４に向かって滑らかな凹曲線を描くように、高さ方向において湾曲している。頭部パッド２１０の上縁の少なくとも中央部には突出部が存在せず、そのため、頭部パッド２１０の左右方向の中央部には、下縁が頸支持部２１２で囲まれ、両側が側頭支持面２１４で囲まれる一方で、上縁側が開かれた窪み部２１５が生じている。窪み部２１５は幼児の頭部を受け入れる部分として機能する。なお、側頭支持面２１４は一定の勾配で傾けてもよいし、すり鉢状に形成されてもよい。
【００５０】
頭部パッド２１０の各部の寸法については、チャイルドシート２が対象とする幼児の体格に応じて適宜に定めてよいが、一例として第１の形態と同様の寸法を採用することができる。また、頭部パッド２１０は第１の形態の頭部パッド１０と同様に、表皮材の内側に弾性材料製の内装材を配置した構成としてもよい。内装材は頭部パッド２１０の全体に設けられてもよいし、頭部パッド２１０の一部、例えば頸支持部２１２の内部、又は側頭支持面２１４の背後、あるいはこれらの両者に限定して設けられてもよい。
【００５１】
背部パッド２３０は、幼児の背部を受ける略平坦な背支持面２３１と、その背支持面２３１の左右方向の両端から背部パッド２３０の左右方向両端に向かって上り勾配を描くように傾斜する一対の脇支持面（図２８のハッチング領域）２３２とを備えている。図２９から明らかなように、背支持面２３１は、バック部６の表面又はその表面の延長線Ｌ１を基準としたときに、背部パッド２３０の下端側、つまり臀部パッド２５０との境界側から上端側に向かって下り勾配を描くような傾斜面状に形成されている。シート部６の表面からの背支持面２３１の上端２３１ａの高さは、シート部６の表面からの頭部パッド２１０の頸支持部２１２の高さよりも低い。なお、背部パッド２３０の寸法はチャイルドシート２が対象とする幼児の体格に応じて適宜に定めてよいが、一例として第１の形態と同様の寸法を採用することができる。
【００５２】
臀部パッド２５０は、その表面側に、臀部パッド２５０の左右方向中央に位置する臀支持面２５１と、その臀支持面２５１の左右方向に関する両側に位置し、かつ臀部パッド２５０の左右方向両端に向かって上り勾配を描く一対の膝支持面２５２と、臀支持面２５１と膝支持面２５２との間から臀部パッド２５０の前方に向かって延びる一対の脚支持面２５３とを備えている。臀支持面２５１は、シート部５の表面を基準としたときに、臀部パッド２５０の後端側、つまり背部パッド２３０との境界側から前端側に向かって上り勾配を描くように傾斜している。臀支持面２５１の後端と背支持面３１の下端とは湾曲部２２１を介して滑らかに繋がっている。脚支持面２５３は、シート部５の表面を基準としたときに、臀支持面２５１の前側、より具体的には臀支持面２５１の前後方向における中間位置、又はそれよりも前側の位置から臀部パッド２５０の前端に向かって下り勾配を描いて延び、それらの前端２５３ａは臀支持面２５１の前端２５１ａよりもさらに前方に延ばされている（図２９参照）。なお、ここではシート部５の表面を基準として勾配の方向を特定したが、臀部パッド２５０の裏面を基準として、その裏面から表面までの距離、つまり臀部パッド２５０の厚さが増加する場合には上り勾配が付され、厚さが減少する場合には下り勾配が付されているものとして扱えばよい。
【００５３】
さらに、臀部パッド２５０には、膝支持面２５２及び脚支持面２５３の前端に連なり、かつ臀部パッド２５０の前端まで上り勾配を描いて延びる一対の脚受け面２５４が設けられている。脚支持面２５３と脚受け面２５４との間にはチャイルドシート２の股ベルト７（図７（図１参照）を通すためのベルト通し孔２５５が臀部パッド２５０を厚さ方向に貫くように形成されている。そして、脚受け面２５４は、そのベルト通し孔２５５から臀部パッド２５０の前端まで臀部パッド２５０を貫くように設けられたスリット２５６により左右方向に関して分離されている。なお、図２９では脚受け面２５４の図示を省略している。
【００５４】
以上のような複合型パッド２２０は、頭部パッド２１０と同様に、表皮材の内側に内装材を配置した構成としてもよい。内装材は複合型パッド２２０の全体に設けられてもよいし、その一部に限って設けられてもよい。以下、図３０〜図３４を参照して、複合型パッド２２０に使用される内装材の一例を説明する。
【００５５】
図３０は内装材の平面図、図３１は図３０の矢印XXXI方向から見た内装材の側面図、図３２は図３０のXXXII−XXXII線に沿った内装材の断面図、図３３は図３１の矢印XXXIII方向から見た内装材の正面図、図３４は図３１のXXXIV−XXXIV線に沿った内装材の断面図である。なお、図２９では臀部パッド２５０が背部パッド２３０の左側に位置する向きで複合型パッド２２０が描かれているが、図３０〜図３２では臀部パッド２５０が背部パッド２３０の右側に位置する向きで内装材２２１が描かれている。内装材２２１は、複合型パッド２２０が自重によって変形することなく、自らの形状を保てるような剛性を複合型パッド２２０に付与するための芯材として設けられており、その材質には例えばウレタン等の樹脂材が好適に用いられる。内装材２２１が表皮材（図２７及び図２８にてパッド２２０の表皮を構成する部分）にて適宜に覆われて複合型パッド２２０が形成される。
【００５６】
図３０〜図３４に示すように、内装材２２１は、背部コア２２２と、臀部コア２２３とを備えている。背部コア２２２は背部パッド２３０の芯材として機能し、臀部コア２２３は臀部パッド２５０の芯材として機能する。コア２２２、２２３の裏面２２２ａ、２２３ａはチャイルドシート２のバック部６及びシート部５の表面に密着し得るような形状に形成されている。背部コア２２２は、その下端側（臀部コア２２３との境界側）から上端側へ向かって徐々に厚みが減少するように形成されている。背部コア２２２の表面は、背部パッド２３０の背支持面２３１を形成するための略平坦かつ略矩形状な背支持面形成部２２２ｂとして形成されており、その背支持面形成部２２２ｂの寸法は背部パッド２３０の背支持面２３１の寸法に一致する。背部コア２２２には、背部パッド２３０の脇支持面２３２に相当する部分が存在しない。つまり、背部コア２２２は、背支持面２３１の平坦な形状を維持するための芯材として設けられている。背部パッド２３０の脇支持面２３２の部分については、内装材２２１とは異なる内装材が設けられてもよいし、表皮材のみが設けられてもよい。脇支持面２３２の部分に内装材を設ける場合、その素材は内装材２２１と同様でもよいし、内装材２２１とは異なる材料、例えばクッション材でもよい。
【００５７】
一方、臀部コア２２３は、臀部パッド２５０の臀支持面２５１及び脚支持面２５３を形成するために設けられている。すなわち、臀部コア２２３の表面２２３ｂには、臀支持面２５１を形成するための臀支持面形成部２２３ｃと、脚支持面２５３を形成するための一対の脚支持面形成部２２３ｄとが設けられている。臀支持面形成部２２３ｃは、臀部コア２２３の裏面２２３ａを基準としたときに、その後端側から前端側へ向かって上り勾配を描くように傾斜する。一方、脚支持面形成部２２３ｄは、臀部コア２２３の裏面２２３ａを基準としたときに、その後端側から前端側へ向かって下り勾配を描くように傾斜する。さらに、脚支持面形成部２２３ｄには幾らかの丸みが付されている。脚支持面形成部２２３ｄの間にはベルト通し孔２５５を形成するための凹部２２３ｅが設けられている。臀部コア２２３には、臀部パッド２５０の膝支持面２５２及び脚受け面２５４に相当する部分が存在しない。つまり、臀部コア２２３は、臀支持面２５１及び脚支持面２５３に所定の形状を付与するための芯材として設けられている。臀部パッド２５０の膝支持面２５２及び脚受け面２５４の部分については、内装材２２１とは異なる内装材が設けられてもよいし、表皮材のみが設けられてもよい。膝支持面２５２及び脚受け面２５４の部分に内装材を設ける場合、その素材は内装材２２１と同様でもよいし、内装材２２１とは異なる材料、例えばクッション材でもよい。
【００５８】
以上のように構成されたクッション２０１によれば、頭部パッド２１０に設けられた頸支持部２１２、側頭支持面２１４及び窪み部２１５によって幼児の頭部を第１の形態の頭部パッド１０と同様に適切な姿勢で支持することができる。また、背部パッド２３０に設けられた背支持面２３１及び脇支持面２３２によって幼児の胴部を第１の形態の背部パッド３０と同様に支持することができる。さらに、臀部パッド２５０に設けられた臀支持面２５１によって幼児の臀部の前ずれを抑え、膝支持面２５２によって幼児の下肢を適切な向きに保持し、脚支持面２５３によって幼児の下肢を前方へ自然な姿勢で延びた状態におくことができる。脚支持面２５３の前方には上り勾配が付された脚受け面２５４が設けられているため、前方に延ばされた幼児の足部分を確実に受け止めて保持することができる。脚支持面２５４の後端が臀支持面２５１の前端２５１ａよりも臀部パッド２５０の後端側に延ばされているため、臀支持面２５１にて支持された臀部から延びる幼児の大腿部をより自然に脚支持面２５３へと導くことができる。
【００５９】
なお、第２の形態において、頭部パッド２１０と複合型パッド２２０とを互いに連結及び分離可能としてもよい。それらの連結構造は第１の形態に関して示した各種の連結構造を適宜に選択することができる。また、第２の形態では背部パッド２３０と臀部パッド２５０とを一体に形成したが、これらを互いに分離可能な別部品として構成してもよい。
【図面の簡単な説明】
【００６０】
【図１】本発明の第１の形態に係るクッションが配置されたチャイルドシートの正面図。
【図２】本発明の第１の形態に係るクッションの斜視図。
【図３】クッションの平面図。
【図４】図４のIV−IV線に沿ったクッションの断面図。
【図５】頭部パッドの平面図。
【図６】頭部パッドを下縁側斜め上方から見た様子を示す斜視図。
【図７】図６の矢印VII方向から見た様子を示す頭部パッドの斜視図。
【図８】図５の矢印VIII方向から見た様子を示す頭部パッドの側面図。
【図９】図４のIX−IX線に沿った頭部パッドの断面図。
【図１０】背部パッドの斜視図。
【図１１】背部パッドの下縁側から見た様子を示す側面図。
【図１２】図４のXII−XII線に沿った背部パッドの断面図。
【図１３】図４の矢印XVIII方向から見た様子を示す臀部パッドの側面図。
【図１４】臀部パッドを下縁側から見た様子を示す斜視図。
【図１５】臀部パッドの平面図。
【図１６】図４のXVI−XVI線に沿った臀部パッドの断面図。
【図１７】頭部パッドが幼児の頭部を支持する様子を示す図。
【図１８】背部パッドが幼児の背中から胴部を支持する様子を示す図。
【図１９】臀部パッドが幼児の臀部、及び膝を支持する様子を示す図。
【図２０】頭部パッドをチャイルドシートのバック部に取り付ける構成の一例を示す図。
【図２１】図２０における頭部パッドの取付状態を示す断面図。
【図２２】頭部パッドをチャイルドシートのバック部に取り付ける構成の他の例を示す図。
【図２３】図２２における頭部パッドの取付状態を示す断面図。
【図２４Ａ】頭部パッドと背部パッドとを面ファスナによって連結する例を示す図。
【図２４Ｂ】頭部パッドと背部パッドとをホックによって連結する例を示す図。
【図２４Ｃ】頭部パッドと背部パッドとをホックによって連結する他の例を示す図。
【図２４Ｄ】頭部パッドと背部パッドとをボタンによって連結する例を示す図。
【図２４Ｅ】図２０Ａに対する変形例を示す図。
【図２５Ａ】背部パッドと臀部パッドとをホックによって連結する例を示す図。
【図２５Ｂ】背部パッドと臀部パッドとを面ファスナによって連結する例を示す図。
【図２５Ｃ】背部パッドと臀部パッドとをボタンによって連結する例を示す図。
【図２６Ａ】頭部パッドと背部パッドとの連結部を覆うカバーを設けた例を示す図。
【図２６Ｂ】背部パッドと臀部パッドとの連結部を覆うカバーを設けた例を示す図。
【図２７】本発明の第２の形態に係るクッションをチャイルドシートに取り付けた状態を示す斜視図。
【図２８】本発明の第２の形態に係るクッションをチャイルドシートに取り付けた状態でそのチャイルドシートの正面側から見た状態を示す図。
【図２９】第２の形態のクッションの長手方向中心線に沿った断面図。
【図３０】第２の形態のクッションで使用される内装材の一形態を示す平面図。
【図３１】図３０の矢印XXXI方向から見た内装材の側面図。
【図３２】図３０のXXXII−XXXII線に沿った内装材の断面図。
【図３３】図３１の矢印XXXIII方向から見た正面図。
【図３４】図３１のXXXIV−XXXIV線に沿った内装材の断面図。
【符号の説明】
【００６１】
１  クッション
２  チャイルドシート
３  ベース
１０  頭部パッド
１２  頸支持部
１２ａ  頸支持部の稜線
１４  側頭支持面
１５  窪み部
３０  背部パッド
３１  背支持面
３２  脇支持面
３３  傾斜面
５０  臀部パッド
５１  臀支持面
５２  膝支持面
５３  脚支持面
１００  幼児
１０１  頭部
１０２  胴部
１０３  臀部
１０４  膝
１０５  下肢
２０１  クッション
２１０  頭部パッド
２１２  頸支持部
２１２ａ  頸支持部の稜線
２１４  側頭支持面
２１５  窪み部
２２０  複合型パッド
２２１  内装材
２２２  背部コア
２２２ｂ  背支持面形成部
２２３  臀部コア
２２３ｃ  臀支持面形成部
２２３ｄ  脚支持面形成部
２３０  背部パッド
２３１  背支持面
２３２  脇支持面
２５０  臀部パッド
２５１  臀支持面
２５２  膝支持面
２５３  脚支持面
【図１】
2007125935.tif 000003
【図２】
2007125935.tif 000004
【図３】
2007125935.tif 000005
【図４】
2007125935.tif 000006
【図５】
2007125935.tif 000007
【図６】
2007125935.tif 000008
【図７】
2007125935.tif 000009
【図８】
2007125935.tif 000010
【図９】
2007125935.tif 000011
【図１０】
2007125935.tif 000012
【図１１】
2007125935.tif 000013
【図１２】
2007125935.tif 000014
【図１３】
2007125935.tif 000015
【図１４】
2007125935.tif 000016
【図１５】
2007125935.tif 000017
【図１６】
2007125935.tif 000018
【図１７】
2007125935.tif 000019
【図１８】
2007125935.tif 000020
【図１９】
2007125935.tif 000021
【図２０】
2007125935.tif 000022
【図２１】
2007125935.tif 000023
【図２２】
2007125935.tif 000024
【図２３】
2007125935.tif 000025
【図２４Ａ】
2007125935.tif 000026
【図２４Ｂ】
2007125935.tif 000027
【図２４Ｃ】
2007125935.tif 000028
【図２４Ｄ】
2007125935.tif 000029
【図２４Ｅ】
2007125935.tif 000030
【図２５Ａ】
2007125935.tif 000031
【図２５Ｂ】
2007125935.tif 000032
【図２５Ｃ】
2007125935.tif 000033
【図２６Ａ】
2007125935.tif 000034
【図２６Ｂ】
2007125935.tif 000035
【図２７】
2007125935.tif 000036
【図２８】
2007125935.tif 000037
【図２９】
2007125935.tif 000038
【図３０】
2007125935.tif 000039
【図３１】
2007125935.tif 000040
【図３２】
2007125935.tif 000041
【図３３】
2007125935.tif 000042
【図３４】
2007125935.tif 000043